(57)【要約】【課題】原稿を複数部カラーでソートコピーする場合に、読取った原稿の画像データを非圧縮のままメモリに格納した後に印字出力する非圧縮コピーと、原稿の画像データを一旦非可逆圧縮してメモリに格納した後に伸張して印字出力する圧縮コピーとがコピー動作の途中で切替えられることにより、記録紙の１部目と２部目以降とで出力画像の画質が異なるという問題が生じるのを防止することができる画像形成装置を提供すること。【解決手段】本発明の画像形成装置１は、読取った原稿の画像データを非圧縮のままメモリに格納した後に印字出力する第１コピー手段と、読取った原稿の画像データを一旦非可逆圧縮してメモリに格納した後に伸張して印字出力する第２コピー手段と、を備える画像形成装置であって、メモリ上に複数ページ分の画像データを蓄積することが必須となる応用機能が指定されていない状態で原稿を複数部カラーソートコピーする場合に、全ての部の全てのページについて前記第２コピー手段を採用する制御手段を備える。【選択図】      図７
2006246329.tif 000002
【特許請求の範囲】
【請求項１】
読取った原稿の画像データを非圧縮のままメモリに格納した後に印字出力する第１コピー手段と、読取った原稿の画像データを一旦非可逆圧縮してメモリに格納した後に伸張して印字出力する第２コピー手段と、を備える画像形成装置であって、メモリ上に複数ページ分の画像データを蓄積することが必須となる応用機能が指定されていない状態で原稿を複数部カラーでソートコピーする場合に、全ての部の全てのページについて前記第２コピー手段を採用する制御手段を備えることを特徴とする画像形成装置。
【請求項２】
前記制御手段は、メモリ上に複数ページ分の画像データを蓄積することが必須となる応用機能が指定されていない状態で原稿をカラーでノンソートコピーする場合に、全てのページについて前記第２コピー手段を採用することを特徴とする請求項１記載の画像形成装置。
【請求項３】
前記制御手段は、メモリ上に複数ページ分の画像データを蓄積することが必須となる応用機能が指定されていない状態で原稿を複数部カラーでノンソートコピーする場合に、全ての部の全てのページについて前記第２コピー手段を採用することを特徴とする請求項１記載の画像形成装置。
【請求項４】
前記制御手段は、メモリ上に複数ページ分の画像データを蓄積することが必須となる応用機能が指定されていない状態で原稿をカラーでノンソートコピーする場合に、全てのページについて前記第１コピー手段を採用することを特徴とする請求項１記載の画像形成装置。
【請求項５】
前記制御手段は、メモリ上に複数ページ分の画像データを蓄積することが必須となる応用機能が指定されていない状態で原稿を複数部カラーでノンソートコピーする場合に、全ての部の全てのページについて前記第１コピー手段を採用することを特徴とする請求項１記載の画像形成装置。
【請求項６】
読取った原稿の画像データを一旦可逆圧縮してメモリに格納した後に伸張して印字出力する第３コピー手段を備え、前記制御手段は、メモリ上に複数ページ分の画像データを蓄積することが必須となる応用機能が指定されていない状態で原稿を複数部モノクロでソートコピーする場合に、１部目のＮ（Ｎは、自然数）ページ目までは前記第１コピー手段を、それ以降のページについては前記第３コピー手段を採用することを特徴とする請求項１乃至５のいずれか１に記載の画像形成装置。
【発明の詳細な説明】
【技術分野】
【０００１】
本発明は、画像形成装置に関し、詳しくは、原稿を読取って得た画像データの画像を記録紙に印字するコピー機能を備えた画像形成装置に関する。
【背景技術】
【０００２】
スキャナ等により原稿を読取って得た画像データを非圧縮のままメモリに格納した後に印字出力する非圧縮コピーと、前記画像データを可逆又は非可逆圧縮してメモリに格納した後にその画像データを伸張して印字出力する圧縮コピーとを切替え可能な画像形成装置がある（特許文献１参照。）。
【０００３】
特許文献１に開示されている画像形成装置のような従来の装置では、原稿を複数部モノクロでソートコピーする場合、最初の数ページについて原稿の読取り開始から印字出力が完了するまでの時間をできるだけ短くするために、例えば、図１０に示すように、１部目の最初の２ページについては非圧縮コピーを行い、残りのページについては可逆圧縮を伴う圧縮コピーを行うといった制御が行われている。
【特許文献１】特開平９−３３１４３４号公報
【発明の開示】
【発明が解決しようとする課題】
【０００４】
しなしながら、例えば、ベースバンド方式のＪＰＥＧ圧縮処理のようなカラー画像データに対する非可逆圧縮は、一旦圧縮したデータを伸張しても元のデータを完全に復元することができない圧縮処理である。そのため、原稿を複数部カラーでソートコピーする場合に、上記のように、１部目の最初の２ページについては非圧縮コピーを行い、残りのページについては非可逆圧縮を伴う圧縮コピーを行うようにコピー動作の切替えを行うと、同一原稿をコピーして得た記録紙であるにも関わらず、１ページ目と２ページ目について、１部目と２部目以降とで出力画像の画質が異なるという問題点があった。
【０００５】
本発明は、かかる課題に鑑みてなされたものであり、原稿を複数部カラーでソートコピーする場合に、読取った原稿の画像データを非圧縮のままメモリに格納した後に印字出力する非圧縮コピーと、原稿の画像データを一旦非可逆圧縮してメモリに格納した後に伸張して印字出力する圧縮コピーとがコピー動作の途中で切替えられることにより、記録紙の１部目と２部目以降とで出力画像の画質が異なるという問題が生じるのを防止することができる画像形成装置を提供することを目的とする。
【課題を解決するための手段】
【０００６】
上記目的を達成するために、請求項１記載の画像形成装置は、読取った原稿の画像データを非圧縮のままメモリに格納した後に印字出力する第１コピー手段と、読取った原稿の画像データを一旦非可逆圧縮してメモリに格納した後に伸張して印字出力する第２コピー手段と、を備える画像形成装置であって、メモリ上に複数ページ分の画像データを蓄積することが必須となる応用機能が指定されていない状態で原稿を複数部カラーでソートコピーする場合に、全ての部の全てのページについて前記第２コピー手段を採用する制御手段を備えることを特徴としている。
【０００７】
請求項２記載の画像形成装置は、請求項１に記載の画像形成装置において、前記制御手段は、メモリ上に複数ページ分の画像データを蓄積することが必須となる応用機能が指定されていない状態で原稿をカラーでノンソートコピーする場合に、全てのページについて前記第２コピー手段を採用することを特徴としている。
【０００８】
請求項３記載の画像形成装置は、請求項１に記載の画像形成装置において、前記制御手段は、メモリ上に複数ページ分の画像データを蓄積することが必須となる応用機能が指定されていない状態で原稿を複数部カラーでノンソートコピーする場合に、全ての部の全てのページについて前記第２コピー手段を採用することを特徴としている。
【０００９】
請求項４記載の画像形成装置は、請求項１に記載の画像形成装置において、前記制御手段は、メモリ上に複数ページ分の画像データを蓄積することが必須となる応用機能が指定されていない状態で原稿をカラーでノンソートコピーする場合に、全てのページについて前記第１コピー手段を採用することを特徴としている。
【００１０】
請求項５記載の画像形成装置は、請求項１に記載の画像形成装置において、前記制御手段は、メモリ上に複数ページ分の画像データを蓄積することが必須となる応用機能が指定されていない状態で原稿を複数部カラーでノンソートコピーする場合に、全ての部の全てのページについて前記第１コピー手段を採用することを特徴としている。
【００１１】
請求項６記載の画像形成装置は、請求項１乃至５のいずれか１に記載の画像形成装置において、読取った原稿の画像データを一旦可逆圧縮してメモリに格納した後に伸張して印字出力する第３コピー手段を備え、前記制御手段は、メモリ上に複数ページ分の画像データを蓄積することが必須となる応用機能が指定されていない状態で原稿を複数部モノクロでソートコピーする場合に、１部目のＮ（Ｎは、自然数）ページ目までは前記第１コピー手段を、それ以降のページについては前記第３コピー手段を採用することを特徴としている。
【発明の効果】
【００１２】
請求項１に記載の画像形成装置によれば、メモリ上に複数ページ分の画像データを蓄積することが必須となる応用機能（例えば、両面コピー機能や集約コピー機能）が指定されていない状態で原稿を複数部カラーでソートコピーする場合に、全ての部の全てのページについて第２コピー手段が採用される。そのため、読取った原稿の画像データを非圧縮のままメモリに格納した後に印字出力する非圧縮コピーと、原稿の画像データを一旦非可逆圧縮してメモリに格納した後に伸張して印字出力する圧縮コピーとがコピー動作の途中で切替えられることにより、１部目と２部目以降とで出力画像の画質が異なるという問題が生じるのを防止することができる。
【００１３】
請求項２に記載の画像形成装置によれば、メモリ上に複数ページ分の画像データを蓄積することが必須となる応用機能が指定されていない状態で原稿をカラーでノンソートコピーする場合に、全てのページについて第２コピー手段が採用される。そのため、読取った原稿の画像データを非圧縮のままメモリに格納した後に印字出力する非圧縮コピーと、原稿の画像データを一旦非可逆圧縮してメモリに格納した後に伸張して印字出力する圧縮コピーとをコピー動作の途中で切替える場合のように、各ページ間で画質差が生じるのを防止することができる。また、全ページの原稿の画像データが一旦可逆圧縮してメモリに格納されるため、メモリが画像データで一杯になって原稿の読取動作を途中で中断しなければならないといった問題が生じるのを防止でき、原稿の読取動作を速やかに完了することができる。
【００１４】
請求項３に記載の画像形成装置によれば、メモリ上に複数ページ分の画像データを蓄積することが必須となる応用機能が指定されていない状態で原稿を複数部カラーでノンソートコピーする場合に、全ての部の全てのページについて第２コピー手段が採用される。そのため、読取った原稿の画像データを非圧縮のままメモリに格納した後に印字出力する非圧縮コピーと、原稿の画像データを一旦非可逆圧縮してメモリに格納した後に伸張して印字出力する圧縮コピーとをコピー動作の途中で切替える場合のように、各ページ間で画質差が生じるのを防止することができる。また、排出された複数部の記録紙について、部間で画質差が生じることも防止することができる。加えて、全ページの原稿の画像データが一旦可逆圧縮してメモリに格納されるため、メモリが画像データで一杯になって原稿の読取動作を途中で中断しなければならないといった問題が生じるのを防止でき、原稿の読取動作を速やかに完了することができる。
【００１５】
請求項４に記載の画像形成装置によれば、メモリ上に複数ページ分の画像データを蓄積することが必須となる応用機能が指定されていない状態で原稿をカラーでノンソートコピーする場合に、全てのページについて第１コピー手段が採用される。そのため、読取った原稿の画像データを非圧縮のままメモリに格納した後に印字出力する非圧縮コピーと、原稿の画像データを一旦非可逆圧縮してメモリに格納した後に伸張しつつ印字出力する圧縮コピーとをコピー動作の途中で切替える場合のように、各ページ間で画質差が生じるのを防止することができる。また、読取った原稿の画像データは、非可逆圧縮されないため、圧縮による画質劣化が生じるのを防止することができる。加えて、読取った原稿の画像データは、非圧縮のままメモリに格納されるので、非可逆圧縮された画像データを格納するメモリが原稿の画像データで一杯になるのを防止することができる。
【００１６】
請求項５に記載の画像形成装置によれば、メモリ上に複数ページ分の画像データを蓄積することが必須となる応用機能が指定されていない状態で原稿を複数部カラーでノンソートコピーする場合に、全ての部の全てのページについて第１コピー手段が採用される。そのため、読取った原稿の画像データを非圧縮のままメモリに格納した後に印字出力する非圧縮コピーと、原稿の画像データを一旦非可逆圧縮してメモリに格納した後に伸張しつつ印字出力する圧縮コピーとをコピー動作の途中で切替える場合のように、各ページ間で画質差が生じるのを防止することができる。また、読取った原稿の画像データは、非可逆圧縮されないため、圧縮による画質劣化が生じるのを防止することができる。
【００１７】
また、排出された複数部の記録紙について、部間で画質差が生じることも防止することができる。加えて、読取った原稿の画像データは、非圧縮のままメモリに格納されるので、非可逆圧縮された画像データを格納するメモリが原稿の画像データで一杯になるのを防止することができる。
【００１８】
請求項６に記載の画像形成装置によれば、メモリ上に複数ページ分の画像データを蓄積することが必須となる応用機能が指定されていない状態で原稿を複数部モノクロでソートコピーする場合に、１部目のＮページ目までは第１コピー手段が、それ以降のページについては第３コピー手段が採用される。そのため、全てのページについて第３コピー手段を採用する場合に比べて、最初のＮページについて、原稿の読取り開始から印字出力が完了するまでの時間をできるだけ短くすることができる。
【発明を実施するための最良の形態】
【００１９】
以下、本発明の実施形態に係る画像形成装置について、図面に基づき説明する。図１は、本実施形態に係る画像形成装置１の構成例を示したブロック図であり、図２は、画像形成装置１において原稿から読取られた画像データのデータ転送の流れを示した図である。この画像形成装置１は、図示するように、制御部（ＭＰＵ：Microprocessing Unit）２、原稿読取部３、画像処理部４、画像メモリ（メモリ）５、メモリコントローラ６、スキャナコーデック７、プリンタコーデック８、プリンタ９、プリンタ制御部１０、操作部１１、表示部１２、ＲＯＭ（Read Only Memory）１３、及びＲＡＭ（Random Access Memory）１４を備えたものであって、各部２乃至１４は、バス１５によって通信可能に接続されている。
【００２０】
制御部２は、この画像形成装置１を構成する各部を制御する。原稿読取部３は、原稿の画像データを読取るものであり、原稿のカラー及びモノクロの双方の画像データを読取ることができる機構を備えたものである。この原稿読取部３は、図示しないが、Ｒ（Red）、Ｇ（Green）、Ｂ（Blue）の３つのラインセンサにより構成されたカラーラインセンサ、原稿トレイに載置された原稿を所定の搬送路に沿って搬送する自動原稿給送装置（ＡＤＦ）、透明な原稿載置板に載置された原稿の画像データをカラーラインセンサにより読取るためのフラット・ベッド・スキャナ（ＦＢＳ）等を有して構成されている。この原稿読取部３は、例えば、原稿から読取ったＲＧＢ３成分のデータのうちＧ成分のみをモノクロと見なして出力することにより、原稿のモノクロ画像データを読取ることができる。
【００２１】
なお、図示しないが、自動原稿給送装置は、原稿の裏面の画像データを読取るためのＣＩＳ（Contact Image Sensor）読取ユニットを備えており、フラット・ベッド・スキャナのカラーラインセンサとＣＩＳ読取ユニットにより、自動原稿給送装置によって所定の搬送路を搬送される原稿の両面の画像データを読取ることができる。また、この原稿読取部３は、図外の画像処理回路を備えており、読取った原稿のカラー画像データ又はモノクロ画像データは、この画像処理回路において、Ａ／Ｄ変換、シェーディング補正、γ補正等の画像処理が施された後、所定の出力先へ出力される。
【００２２】
画像処理部４は、原稿読取部３から出力された原稿のカラー画像データ又はモノクロ画像データに対して画像処理を行うものである。具体的には、原稿読取部３から出力されたＲＧＢ表色系のカラー画像データを例えばＹＣｒＣｂ表色系のカラー画像データに変換する色空間変換や、原稿読取部３から出力された原稿の画像データを誤差拡散処理等により２値化する処理など、原稿読取部３から出力された原稿の画像データに対して必要な画像処理を行う。
【００２３】
画像メモリ５は、画像データを格納するものであり、ページメモリ１６と符号化メモリ１７によって構成されている。ページメモリ１６は、圧縮（圧縮符号化）されていない画像データを格納するものである。このページメモリ１６は、多値領域及び２値領域を有しており、多値のカラー画像データ及び２値のモノクロ画像データの双方の画像データを格納する。符号化メモリ１７は、圧縮されたカラー画像データ及びモノクロ画像データの双方の画像データを格納するものである。
【００２４】
メモリコントローラ６は、画像処理部４で処理された画像データ又はプリンタコーデック８で処理された画像データをページメモリ１６に格納する処理や、逆に、ページメモリ１６に格納されている画像データをスキャナコーデック７又はプリンタ制御部１０へ出力するメモリ管理を行う回路である。
【００２５】
スキャナコーデック７は、読取った原稿のカラー画像データ又はモノクロ画像データを圧縮するものである。すなわち、メモリコントローラ６により入力されたカラー画像データ又はモノクロ画像データを圧縮する。このスキャナコーデック７は、ページメモリ１６の多値領域から読み出されたカラー画像データ（例えば、８ビット等の多値のカラー画像データ）がメモリコントローラ６によって入力された場合には、入力されたカラー画像データを、多値画像データ用の圧縮（符号化）方式、例えばＪＰＥＧ（Joint Photographic Experts Group）方式により非可逆圧縮する。なお、スキャナコーデック７は、本実施形態では、カラー画像データの非可逆圧縮処理として、ベースバンド方式のＪＰＥＧ圧縮処理を行うものとして説明するが、非可逆圧縮処理であれば、他の圧縮方式でカラー画像データを圧縮するようにしてもよい。また、スキャナコーデック７は、図示しないが、所定ライン分のカラー画像データを格納可能なラインメモリを備えており、ラインメモリに格納されたカラー画像データを、例えば８×８画素（主走査方向に８画素、副走査方向に８画素）の画素データからなるブロックに分割し、ブロック単位で非可逆圧縮処理（ここでは、ベースバンド方式のＪＰＥＧ圧縮処理）を行う。
【００２６】
一方、スキャナコーデック７は、ページメモリ１６の２値領域から読み出されたモノクロ画像データ（２値のモノクロ画像データ）がメモリコントローラ６によって入力された場合には、入力された原稿のモノクロ画像データを、２値画像データ用の圧縮（符号化）方式、例えばＭＨ（Modified Huffman）、ＭＲ（Modified Read）、ＭＭＲ（Modified Modified Read）、ＪＢＩＧ（Joint Bi-level Image Group）方式等により可逆圧縮する。符号化メモリ１７は、このスキャナコーデック７によって圧縮されたカラー画像データ又はモノクロ画像データを格納する。
【００２７】
プリンタコーデック８は、圧縮された画像データを伸張するものであり、非可逆圧縮されたカラー画像データを伸張する処理、又は可逆圧縮されたモノクロ画像データを伸張する処理を行う。すなわち、符号化メモリ１７から読み出されたカラー画像データに対して、スキャナコーデック７による非可逆圧縮処理に対応した伸張処理を行い、符号化メモリ１７から読み出されたモノクロ画像データに対して、スキャナコーデック７による可逆圧縮処理に対応した伸張処理を行う。このプリンタコーデック８により伸張されたカラー画像データ又はモノクロ画像データは、メモリコントローラ６によってページメモリ１６に一旦格納された後、プリンタ制御部１０へと出力される。なお、プリンタコーデック８により伸張されたＹＣｒＣｂ表色系のカラー画像データは、例えば、Ｃ（シアン）、Ｍ（マゼンタ）、Ｙ（イエロー）、Ｋ（ブラック）等の各色彩データに変換する色空間変換及び２値化処理が行われた後、プリンタ制御部１０へと出力される。
【００２８】
プリンタ９は、原稿の画像データを記録紙に印字出力するものであって、カラー画像データのカラー画像を記録紙に印字するカラー印字及びモノクロ画像データのモノクロ画像を記録紙に印字するモノクロ印字が可能なものである。このプリンタ９における印字方式としては、例えば、電子写真方式やインクジェット方式等の各種印字方式を用いることができる。
【００２９】
プリンタ制御部１０は、制御部２の制御命令に従って、画像データを印字出力するプリンタ９の各部の動作を制御するものであり、メモリコントローラ６によって入力された原稿のカラー画像データ、又はモノクロ画像データに基づいてプリンタ９の印字処理を制御する。
【００３０】
操作部１１は、図示しないが、原稿読取部３に原稿の読取動作の開始を指示するためのスタートキー、コピー部数等を入力するためのテンキー、各種設定を行うためのカーソルキーなど、表示部１２と連動した各種操作キーを備えている。表示部１２は、各種の設定状態や自装置１の動作状態などを文字や図形などで表示する液晶表示装置（ＬＣＤ：Liquid Crystal Display）や、点灯又は消灯で表示するＬＥＤランプなどを備えている。なお、液晶表示装置は、いわゆるタッチパネル式のものであり、操作部１１に代えてこの液晶表示装置の画面をユーザが指等で触れることにより各種の操作を行うこともできる。
【００３１】
なお、画像形成装置１は、複数ページの原稿を１枚の記録紙に並べてコピーする集約コピー機能、読取った原稿の画像を記録紙の両面に印字する両面コピー機能等の応用機能を備えている。これらの応用機能を伴うコピーは、画像メモリ５のページメモリ１６上に複数ページ分の画像データを同時に蓄積することが必須となるコピーである。言い換えれば、複数ページ分の画像データをページメモリ１６上に同時に蓄積してから印字処理を開始する必要があるコピーである。ユーザは、原稿の読取り開始前に、操作部１１又は表示部１２の液晶表示装置から所定の設定操作を行うことにより、これらの機能を伴ったカラーコピー又はモノクロコピーを画像形成装置１に行わせることができる。
【００３２】
ＲＯＭ１３は、制御部２によって画像形成装置１の各部が制御されるための制御プログラムを格納している。ＲＡＭ１４は、制御部２の主メモリ、ワークエリア等として機能し、各種設定情報等を格納している。
【００３３】
上記構成を備える画像形成装置１は、読取った原稿の画像データを非圧縮のまま画像メモリ５に格納した後に印字出力する第１コピー手段と、読取った原稿の画像データを一旦非可逆圧縮して画像メモリ５に格納した後に伸張して印字出力する第２コピー手段と、読取った原稿の画像データを一旦可逆圧縮して画像メモリ５に格納した後に伸張して印字出力する第３コピー手段と、を備えている。
【００３４】
以下、第１コピー手段により、読取った原稿の画像データを非圧縮のまま画像メモリ５に格納した後に印字出力するモノクロコピー（以下、「モノクロ非圧縮コピー」ともいう。）を行う場合に、画像形成装置１において行われる処理動作について、図３に示すフローチャート及び図２に基づいて説明する。なお、第１コピー手段は、原稿の読取り後、読取った原稿の画像データを一度も圧縮することなく印字出力するものである。また、以下のフローチャートに基づいて説明する画像形成装置１の処理動作は、ＲＯＭ１３に格納されている制御プログラムに基づいて制御部２が発行する命令に従って行われる。
【００３５】
まず、原稿読取部３は、フラット・ベッド・スキャナの原稿載置板に載置された原稿、又は自動原稿給送装置の原稿トレイから搬送路に沿って搬送される原稿を走査して、原稿のモノクロ画像データを読取る（Ｓ１）。そして、メモリコントローラ６は、原稿読取部３が読取った原稿のモノクロ画像データをページメモリ１６の２値領域に格納する（Ｓ２）。具体的には、原稿読取部３から出力されたモノクロ画像データは、画像処理部４において２値化処理等の必要な画像処理が施され、メモリコントローラ６は、画像処理部４において必要な画像処理が施されたモノクロ画像データをページメモリ１６の２値領域に格納する。
【００３６】
続いて、メモリコントローラ６は、ページメモリ１６に格納したモノクロ画像データをプリンタ制御部１０へ出力する（Ｓ３）。これに対し、プリンタ制御部１０は、入力されたモノクロ画像データに基づいてプリンタ９を制御し、モノクロ画像データを印字出力する（Ｓ４）。すなわち、モノクロ画像データの画像を記録紙にモノクロ印字する。
【００３７】
このように、画像形成装置１は、第１コピー手段により、読取った原稿のモノクロ画像データを一度も圧縮することなく非圧縮のまま画像メモリ５のページメモリ１６に格納した後に印字出力するモノクロ非圧縮コピーを行うことにより、読取った原稿のモノクロ画像データを一旦圧縮して画像メモリ５に格納した後に伸張して印字出力する場合に比べて、原稿の読取り開始からそのモノクロ画像が印字された記録紙が排出されるまでの時間を短くすることができる。
【００３８】
次に、第３コピー手段により、読取った原稿の画像データを一旦可逆圧縮して画像メモリ５に格納した後に伸張して印字出力するモノクロコピー（以下、「モノクロ圧縮コピー」ともいう。）を行う場合に、画像形成装置１において行われる処理動作について、図４に示すフローチャート及び図２に基づいて説明する。
【００３９】
まず、原稿読取部３は、Ｓ１の処理動作と同様に、原稿のモノクロ画像データを読取る（Ｓ６）。そして、メモリコントローラ６は、Ｓ２の処理動作と同様に、Ｓ６で原稿読取部３が読取った原稿のモノクロ画像データをページメモリ１６の２値領域に格納する（Ｓ７）。続いて、ページメモリ１６に格納したモノクロ画像データを可逆圧縮して符号化メモリ１７に格納する（Ｓ８）。すなわち、メモリコントローラ６は、ページメモリ１６の２値領域に格納されているモノクロ画像データを読み出すとともに、読み出したモノクロ画像データをスキャナコーデック７へと出力し、スキャナコーデック７は、入力されたモノクロ画像データを可逆圧縮する。具体的には、入力されたモノクロ画像データに対して、例えば、ＭＨ、ＭＲ、ＭＭＲ、ＪＢＩＧ方式等による可逆圧縮処理を行う。このようにしてスキャナコーデック７によって可逆圧縮されたモノクロ画像データは、符号化メモリ１７へと出力され、該符号化メモリ１７に格納される。
【００４０】
続いて、符号化メモリ１７に格納したモノクロ画像データを伸張してページメモリ１６の２値領域に格納する（Ｓ９）。すなわち、プリンタコーデック８は、符号化メモリ１７から読み出されたモノクロ画像データを、Ｓ８におけるスキャナコーデック７の可逆圧縮処理に対応した方式で伸張し、メモリコントローラ６は、プリンタコーデック８により伸張されたモノクロ画像データをページメモリ１６の２値領域に格納する。そして、メモリコントローラ６は、Ｓ３の処理動作と同様に、Ｓ９でページメモリ１６に格納したモノクロ画像データをプリンタ制御部１０へ出力し（Ｓ１０）、プリンタ制御部１０は、入力されたモノクロ画像データに基づいてプリンタ９を制御し、モノクロ画像データを印字出力する（Ｓ１１）。
【００４１】
このように、画像形成装置１は、第３コピー手段により、読取った原稿のモノクロ画像データをページメモリ１６に格納し、一旦可逆圧縮して符号化メモリ１７に格納した後に伸張して印字出力するモノクロ圧縮コピーを行うことにより、スキャナコーデック７による可逆圧縮処理やプリンタコーデック８による伸張処理の速度に関わらず、原稿読取部３による原稿の読取りを速やかに終了させることができる。
【００４２】
以下、第１コピー手段により、読取った原稿の画像データを非圧縮のまま画像メモリ５に格納した後に印字出力するカラーコピー（以下、「カラー非圧縮コピー」ともいう。）を行う場合に、画像形成装置１において行われる処理動作について、図５に示すフローチャート及び図２に基づいて説明する。なお、第１コピー手段は、モノクロ非圧縮コピーを行う場合と同様に、原稿の読取り後、読取った原稿の画像データを一度も圧縮することなく印字出力する。
【００４３】
原稿読取部３は、フラット・ベッド・スキャナの原稿載置板に載置された原稿、又は自動原稿給送装置の原稿トレイから搬送路に沿って搬送される原稿を走査して、原稿のカラー画像データを読取る（Ｓ１３）。このようにして読取られたカラー画像データは、原稿読取部３から画像処理部４へと出力され、該画像処理部４において色空間変換等の必要な画像処理が施される。そして、メモリコントローラ６は、原稿読取部３が読取った原稿のカラー画像データ、すなわち、画像処理部４において必要な画像処理が施されたカラー画像データをページメモリ１６の多値領域に格納する（Ｓ１４）。
【００４４】
続いて、メモリコントローラ６は、ページメモリ１６に格納したカラー画像データを読み出してプリンタ制御部１０へ出力し（Ｓ１５）、プリンタ制御部１０は、入力されたカラー画像データに基づいてプリンタ９を制御してカラー画像データを印字出力する（Ｓ１６）。すなわち、カラー画像データの画像を記録紙にカラー印字する。
【００４５】
このように、画像形成装置１は、第１コピー手段により、読取った原稿のカラー画像データを一度も圧縮することなく非圧縮のまま画像メモリ５のページメモリ１６に格納した後に印字出力するカラー非圧縮コピーを行うことにより、読取った原稿のカラー画像データを一旦圧縮して画像メモリ５のページメモリ１６に格納した後に伸張して印字出力する場合に比べて、原稿の読取り開始からそのカラー画像が印字出力されるまでの時間を短くすることができる。
【００４６】
以下、第２コピー手段により、読取った原稿の画像データを一旦非可逆圧縮して画像メモリ５に格納した後に伸張して印字出力するカラーコピー（以下、「カラー圧縮コピー」ともいう。）を行う場合に、画像形成装置１において行われる処理動作について、図６に示すフローチャート及び図２に基づいて説明する。
【００４７】
原稿読取部３は、Ｓ１３の処理動作と同様に、原稿のカラー画像データを読取る（Ｓ１８）。このようにして読取られた原稿のカラー画像データは、原稿読取部３から画像処理部４へと出力され、該画像処理部４において色空間変換等の必要な画像処理が施される。そして、メモリコントローラ６は、Ｓ１４の処理動作と同様に、原稿読取部３が読取った原稿のカラー画像データ、すなわち、画像処理部４において必要な画像処理が施されたカラー画像データをページメモリ１６の多値領域に格納する（Ｓ１９）。
【００４８】
続いて、ページメモリ１６に格納したカラー画像データを非可逆圧縮して符号化メモリ１７に格納する（Ｓ２０）。すなわち、メモリコントローラ６は、ページメモリ１６の多値領域に格納したカラー画像データを読み出すとともに、読み出したカラー画像データをスキャナコーデック７へと出力し、スキャナコーデック７は、入力されたカラー画像データを非可逆圧縮する。具体的には、入力されたカラー画像データに対して、例えば、ベースバンド方式のＪＰＥＧ圧縮処理を行う。このようにしてスキャナコーデック７によって非可逆圧縮されたカラー画像データは、符号化メモリ１７へと出力され、該符号化メモリ１７に格納される。
【００４９】
続いて、符号化メモリ１７に格納したカラー画像データを伸張してページメモリ１６の多値領域に格納する（Ｓ２１）。すなわち、プリンタコーデック８は、符号化メモリ１７から読み出されたカラー画像データを、Ｓ２０におけるスキャナコーデック７の非可逆圧縮処理に対応した方式で伸張し、メモリコントローラ６は、プリンタコーデック８により伸張されたカラー画像データをページメモリ１６の多値領域に格納する。そして、メモリコントローラ６は、ページメモリ１６に格納したカラー画像データを読み出してプリンタ制御部１０へ出力し（Ｓ２２）、プリンタ制御部１０は、入力されたカラー画像データに基づいてプリンタ９を制御してカラー画像データを印字出力する（Ｓ２３）。すなわち、カラー画像データの画像を記録紙にカラー印字する。
【００５０】
このように、画像形成装置１は、第２コピー手段により、読取った原稿のカラー画像データをページメモリ１６に格納し、一旦非可逆圧縮して画像メモリ５の符号化メモリ１７に格納した後に伸張して印字出力するカラー圧縮コピーを行うことにより、スキャナコーデック７による非可逆圧縮処理やプリンタコーデック８による伸張処理の速度に関わらず、原稿読取部３による原稿の読取りを速やかに終了させることができる。また、スキャナコーデック７は、カラー画像データに対して非可逆圧縮処理を行うため、高い圧縮率でカラー画像データを圧縮することができる。
【００５１】
以下、画像形成装置１において、カラーコピー開始命令があった場合に行われる処理動作について、図７に基づいて説明する。制御部２は、まず、読取モードとしてカラーが指定（設定）され、操作部１１のスタートキーが押下されたか否かに基づいて、カラーコピー開始命令があったか否かを判断する（Ｓ２５）。ここで、カラーコピー開始命令があったと判断した場合（Ｓ２５：ＹＥＳ）、両面コピー機能又は集約コピー機能の応用機能が指定されているか否かをＲＡＭ１４の設定情報に基づいて判断する（Ｓ２６）。
【００５２】
言い換えれば、コピージョブを実行するに際して、画像メモリ５のページメモリ１６上に複数ページ分の画像データを同時に蓄積することが必須であるか否かを判断する。ここで、制御部２は、両面コピー機能、又は集約コピー機能がどちらか一方でも指定されていると判断した場合（Ｓ２６：ＹＥＳ）、すなわち、ページメモリ１６上に複数ページ分の画像データを蓄積することが必須である応用機能が指定されていると判断した場合、原稿読取部３にセットされた原稿に対して第２コピー手段によるカラー圧縮コピーを行う（Ｓ２７）。
【００５３】
そして、制御部２は、コピーが終了したか否かを判断し（Ｓ２８）、コピーが終了していないと判断した場合には（Ｓ２８：ＮＯ）、コピーが終了したと判断するまでＳ２７の処理動作を継続して行う。すなわち、制御部２は、両面コピー機能又は集約コピー機能がどちらか一方でも指定されているカラーコピーを行う場合、言い換えれば、画像メモリ５のページメモリ１６上に複数ページ分の画像データを同時に蓄積することを必要とするカラーコピーを行う場合には、全てのページに対して第２コピー手段を採用してカラー圧縮コピーを行う。
【００５４】
一方、制御部２は、両面コピー機能又は集約コピー機能がいずれも指定されていないと判断した場合には（Ｓ２６：ＮＯ）、原稿を複数部カラーでソートコピーするように指定されているか否かをＲＡＭ１４の設定情報に基づいて判断する（Ｓ２９）。ここでのソートコピーは、原稿をカラーコピーするとともに、カラーコピーして得た記録紙をページ順に揃えて排出するカラーコピー処理のことである。
【００５５】
制御部２は、原稿を複数部カラーでソートコピーするように指定されていると判断した場合（Ｓ２９：ＹＥＳ）、Ｓ２７の処理動作をコピーが終了したと判断するまで継続して行う。すなわち、制御部２は、画像メモリ５のページメモリ１６上に複数ページ分の画像データを蓄積することが必須となる応用機能（ここでは、両面コピー機能又は集約コピー機能）が指定されていない状態で原稿を複数部カラーでソートコピーする場合に、全ての部の全てのページについて第２コピー手段を採用してカラーコピーを行う。
【００５６】
図８は、原稿と、その原稿を複数部カラーでソートコピーして得られた記録紙との関係を示したものであり、３枚の原稿Ａ乃至Ｃを複数部カラーでソートコピーした場合を示した図である。この図からも明らかなように、例示されている１部目と２部目の記録紙（残りの部の記録紙も含む）は、全てのページが第２コピー手段によるカラー圧縮コピーにより得られたものである。すなわち、原稿を複数部カラーでソートコピーする場合に、カラー非圧縮コピーとカラー圧縮コピーとがコピー動作の途中で切替えられることがないため、１部目と２部目以降とで出力画像の画質が異なるという問題が生じるのを防止することができる。なお、読取った原稿のカラー画像データは、非可逆圧縮されて画像メモリ５の符号化メモリ１７に格納されるので、読取った原稿のカラー画像データを可逆圧縮して画像メモリ５の符号化メモリ１７に格納する場合に比べて、小容量のメモリで原稿のカラー画像データを格納することができる。
【００５７】
一方、制御部２は、原稿を複数部カラーでソートコピーするように指定されていないと判断した場合（Ｓ２９：ＮＯ）、すなわち、原稿をカラーでノンソートするように指定されている場合、或いは、原稿をカラーでソートコピーするように指定されているが指定部数が１部である場合、画質優先モードに指定されているか否かをＲＡＭ１４の設定情報に基づいて判断する（Ｓ３０）。ここで、画質優先モードは、読取った原稿のカラー画像データを全て非圧縮のまま画像メモリ５に格納した後に印字出力するコピーモードである。この画質優先モードに指定されている場合、上記のように原稿のカラー画像データが非圧縮のまま画像メモリ５に格納されるため、画像データに対する非可逆圧縮処理を伴うカラーコピー（カラー圧縮コピー）を行う場合のように、画質劣化が生じることがないため、高画質なカラー画像を記録紙に印字出力することができる。
【００５８】
制御部２は、画質優先モードに指定されていないと判断した場合（Ｓ３０：ＮＯ）、Ｓ２７の処理動作をコピーが終了したと判断するまで継続して行う。すなわち、制御部２は、画像メモリ５のページメモリ１６上に複数ページ分の画像データを蓄積することが必須となる応用機能が指定されていない状態で原稿をカラーでノンソートコピーする場合に、画質優先モードに指定されていなければ、全てのページについて第２コピー手段を採用してカラー圧縮コピーを行う。
【００５９】
図９（ａ）は、原稿と、その原稿を複数部カラーでノンソートコピーして得られた記録紙との関係を示したものであり、３枚の原稿Ａ乃至Ｃを第２コピー手段により複数部（ここでは３部）カラーでノンソートコピーした場合を示した図である。この図からも明らかなように、図示されている記録紙は、全てのページが第２コピー手段によるカラー圧縮コピーにより得られたものである。すなわち、カラー非圧縮コピーとカラー圧縮コピーとがコピー動作の途中で切替えられることがないため、各ページ間（例えば、記録紙Ａと記録紙Ｂとの間）で画質差が生じるのを防止することができる。また、全ページの原稿の画像データが一旦可逆圧縮して画像メモリ５の符号化メモリ１７に格納されるため、符号化メモリ１７が画像データで一杯になって原稿の読取動作を途中で中断しなければならないといった問題が生じるのを防止でき、原稿の読取動作を速やかに完了することができる。
【００６０】
なお、原稿を１部カラーでノンソートコピーする場合には、図９（ａ）のように同一原稿をコピーして得られた記録紙が複数排出されることがないため、図９（ｂ）に示すように、カラー非圧縮コピーとカラー圧縮コピーをコピー動作の途中で切替えるようにしてもよい。すなわち、Ｎ（ここでは１）ページ目までは第１コピー手段を採用してカラー非圧縮コピーを行い、それ以降のページについては第２コピー手段を採用してカラー圧縮コピーを行うようにしてもよい。
【００６１】
但し、図９（ａ）に示すように、画像メモリ５のページメモリ１６上に複数ページ分の画像データを蓄積することが必須となる応用機能が指定されていない状態で原稿を複数部カラーでノンソートコピーする場合には、全ての部の全てのページについて第２コピー手段を採用してカラー圧縮コピーを行う。これにより、各ページ間（例えば、記録紙Ａと記録紙Ｂとの間）で画質差が生じるのを防止することができるとともに、部間（例えば、１部目の記録紙Ａと２部目の記録紙Ａとの間）で画質差が生じることも防止することができる。
【００６２】
前記Ｓ３０において、制御部２は、画質優先モードに指定されていると判断した場合（Ｓ３０：ＹＥＳ）、原稿読取部３にセットされた原稿に対して第１コピー手段によるカラー非圧縮コピーを行う（Ｓ３１）。そして、コピーが終了したか否かを判断し（Ｓ３２）、コピーが終了していないと判断した場合には（Ｓ３２：ＮＯ）、コピーが終了したと判断するまでＳ３１の処理動作を継続して行う。すなわち、制御部２は、画像メモリ５の符号化メモリ１７上に複数ページ分の画像データを蓄積することが必須となる応用機能が指定されていない状態で原稿をカラーでノンソートコピーする場合に、画質優先モードが指定されていれば、全てのページについて第１コピー手段を採用してカラー非圧縮コピーを行う。
【００６３】
図９（ｃ）は、原稿と、その原稿を複数部カラーでノンソートコピーして得られた記録紙との関係を示したものであり、３枚の原稿Ａ乃至Ｃを第１コピー手段により複数部（ここでは３部）カラーでノンソートコピーした場合を示した図である。この図からも明らかなように、図示されている記録紙は、全てのページが第１コピー手段によるカラー非圧縮コピーにより得られたものである。すなわち、カラー非圧縮コピーとカラー圧縮コピーとがコピー動作の途中で切替えられることがないため、各ページ間で画質差が生じるのを防止することができる。また、読取った原稿の画像データは、非可逆圧縮されないため、圧縮による画質劣化が生じるのを防止することができる。加えて、読取った原稿の画像データは、非圧縮のまま画像メモリ５のページメモリ１６に格納されるので、非可逆圧縮された画像データを格納する符号化メモリ１７が原稿の画像データで一杯になるのを防止することができる。
【００６４】
なお、指定部数が１部の場合には、同一原稿をカラーコピーして得られた記録紙が複数排出されることがないため、図９（ｂ）に示したようにカラー非圧縮コピーからカラー圧縮コピーへの切替えを行うようにしてもよい。但し、制御部２は、ページメモリ１６上に複数ページ分の画像データを蓄積することが必須となる応用機能が指定されていない状態で原稿を複数部カラーでノンソートコピーする場合に、画質優先モードが指定されていれば、図９（ｃ）に示すように、全ての部の全てのページについて第１コピー手段を採用してカラー非圧縮コピーを行う。これにより、排出された複数部の記録紙について、部間（例えば、１部目の記録紙Ａと２部目の記録紙Ａとの間）で画質差が生じることも防止することができる。
【００６５】
以上、カラーコピーを行う場合について説明したが、本実施形態に係る画像形成装置１において制御部２は、ページメモリ１６上に複数ページ分の画像データを蓄積することが必須となる応用機能が指定されていない状態で原稿を複数部モノクロでソートコピーする場合に、１部目のＮ（Ｎは、自然数）ページ目までは第１コピー手段を、それ以降のページについては第３コピー手段を採用する。すなわち、図１０に示すように、１部目のＮページ目（ここでは、２ページ目）まではモノクロ非圧縮コピーを行い、それ以降のページについてはモノクロ圧縮コピーを行う。
【００６６】
これにより、図１０の場合には、１部目の１ページ目の記録紙Ａと２ページ目の記録紙Ｂについて、原稿の読取り開始から印字出力が完了するまでの時間をできるだけ短くすることができる。なお、モノクロ非圧縮コピーは、一旦圧縮したデータを伸張して元のデータを完全に復元することができる圧縮処理であるため、ページ間や部間で画質差が生じることはない。
【００６７】
なお、本実施の形態で示した画像形成装置１の構成は、本発明に係る画像形成装置の一態様にすぎず、本発明の要旨を逸脱しない範囲内で適宜設計変更できることは勿論であり、カラーコピー機能を備えた装置であれば、例えば、カラーコピー機能やファクシミリ機能などを併せ持つ複合機等としても実現可能である。
【産業上の利用可能性】
【００６８】
本発明は、例えば、カラーコピー機能を備えた画像形成装置に適用可能である。
【図面の簡単な説明】
【００６９】
【図１】本発明の実施の形態に係る画像形成装置の構成例を示したブロック図である。
【図２】原稿読取部で読取られた原稿の画像データのデータ転送の流れを示した図である。
【図３】モノクロ非圧縮コピーを行う際に、画像形成装置において行われる処理動作を示したフローチャートである。
【図４】モノクロ圧縮コピーを行う際に、画像形成装置において行われる処理動作を示したフローチャートである。
【図５】カラー非圧縮コピーを行う際に、画像形成装置において行われる処理動作を示したフローチャートである。
【図６】カラー圧縮コピーを行う際に、画像形成装置において行われる処理動作を示したフローチャートである。
【図７】カラーコピー開始命令があった場合に、画像形成装置において行われる処理動作を示したフローチャートである。
【図８】原稿と、その原稿を複数部カラーでソートコピーして得られた記録紙との関係について説明するための図である。
【図９】原稿と、その原稿をカラーでノンソートコピーして得られた記録紙との関係について説明するための図である。
【図１０】原稿と、その原稿を複数部モノクロでソートコピーして得られた記録紙との関係について説明するための図である。
【符号の説明】
【００７０】
１    画像形成装置
２    制御部（ＭＰＵ）
３    原稿読取部
５    画像メモリ（メモリ）
６    メモリコントローラ
７    スキャナコーデック
８    プリンタコーデック
９    プリンタ
１０    プリンタ制御部
１６    ページメモリ
１７    符号化メモリ
【図１】
2006246329.tif 000003
【図２】
2006246329.tif 000004
【図３】
2006246329.tif 000005
【図４】
2006246329.tif 000006
【図５】
2006246329.tif 000007
【図６】
2006246329.tif 000008
【図７】
2006246329.tif 000009
【図８】
2006246329.tif 000010
【図９】
2006246329.tif 000011
【図１０】
2006246329.tif 000012